(57)【要約】【課題】構成が簡単であり、取り付けが低コストで成されると共に、調整状態が時間と共に又は過剰の負荷により緩むことに基づく高価な再調整が不要とされる車両投光器を提供する。【解決手段】光源（２）と前置光学系（３）を含んだ車両投光器（１）であって、光源（２）は、支持体（１０）上に固定されており、支持体（１０）には、結合手段（２０，２１）を受容するための穴部（１２，１３）がそれぞれ設けられている。支持体（１０）上には、間隔要素（３０，３１）が配置されている。保持部材（４０）が、間隔要素（３０，３１）上に配置されている。結合手段（２０，２１）は、支持体（１０）と保持部材（４０）を結合するために設けられ、そのためにそれぞれの開口部（４１，４２）とそれぞれの穴部（１２，１３）に挿入されている。結合手段（２０，２１）が開口部（４１，４２）に挿入されているが位置固定されていない保持部材（４０）の第１のポジションおいて、保持部材（４０）は、結合手段（２０，２１）に関し、開口部（４１，４２）の内側で軸線（２２，２３）に対して直角方向の面内で運動可能であり、それにより前記面内で、光源（２）に関し、前置光学系（３）の位置合わせが可能である。間隔要素（３０，３１）は、結合手段（２０，２１）を用い、保持部材（４０）と支持体（１０）により一緒に押圧可能であり、それにより間隔要素（３０，３１）の高さ（３５，３６）が減少され、保持部材（４０）の固定の第２のポジションが達成される。【選択図】図１
2021506088.tif 000002
【特許請求の範囲】
【請求項１】
光源（２，１０２）と前置光学系（３，１０３）を含んだ車両投光器（１，１０１）であって、
前記光源（２，１０２）は、前記前置光学系（３，１０３）を通して光を放射するように構成され、前記前置光学系（３，１０３）は、その光を集束するか又は成形するように構成されており、
前記光源（２，１０２）は、前記車両投光器（１，１０１）内に設けられた支持体（１０，１１０）上に固定されており、前記支持体（１０，１１０）には、少なくとも１つの結合手段（２０，２１，１２０）を受容するための穴部（１２，１３）がそれぞれ設けられており、
前記支持体（１０，１１０）上には、少なくとも１つの間隔要素（３０，３１，１３０）が載置面（１１）上にそれぞれ配置されており、前記少なくとも１つの間隔要素（３０，３１，１３０）は、前記載置面（１１）に対して直角方向に高さ（３５，３６）を有し、
保持部材（４０，１４０）が、前記少なくとも１つの間隔要素（３０，３１，１３０）上に配置されており、前記保持部材（４０，１４０）は、前記前置光学系（３，１０３）と固定結合されており、前記少なくとも１つの結合手段（２０，２１，１２０）を受容するために設けられた開口部（４１，４２）をそれぞれ有し、
前記少なくとも１つの結合手段（２０，２１，１２０）は、それぞれ軸線（２２，２３）に沿って延在し、前記支持体（１０，１１０）と前記保持部材（４０，１４０）を結合するために設けられ、そのためにそれぞれの前記開口部（４１，４２）とそれぞれの前記穴部（１２，１３）に挿入されている構成であり、
前記少なくとも１つの結合手段（２０，２１，１２０）が前記開口部（４１，４２）に挿入されているが位置固定されていない前記保持部材（４０，１４０）の第１のポジションおいて、前記保持部材（４０，１４０）は、前記少なくとも１つの結合手段（２０，２１，１２０）に関し、前記開口部（４１，４２）の内側で前記軸線（２２，２３）に対して直角方向の面内で運動可能であり、それにより前記面内で、前記支持体（１０，１１０）上に固定された前記光源（２，１０２）に関し、前記保持部材（４０，１４０）に固定された前記前置光学系（３，１０３）の位置合わせが可能であり、
前記少なくとも１つの間隔要素（３０，３１，１３０）は、前記少なくとも１つの結合手段（２０，２１，１２０）を用い、前記保持部材（４０，１４０）と前記支持体（１０，１１０）により一緒に押圧可能であり、それにより前記少なくとも１つの間隔要素（３０，３１，１３０）の前記高さ（３５，３６）が減少され、前記保持部材（４０，１４０）の固定の第２のポジションが達成されること
を特徴とする車両投光器（１，１０１）。
【請求項２】
前記少なくとも１つの間隔要素（３０，３１，１３０）の弾性係数は、前記保持部材（４０，１４０）及び／又は前記支持体（１０，１１０）の弾性係数よりも小さく、
好ましくは、前記少なくとも１つの間隔要素（３０，３１，１３０）の弾性係数は、８０ｋＮ／ｍｍ２よりも小さく、好ましくは３０ｋＮ／ｍｍ２よりも小さく、且つ１ｋＮ／ｍｍ２よりも大きく、特に好ましくは４ｋＮ／ｍｍ２よりも小さく、
好ましくは、前記少なくとも１つの間隔要素（３０，３１，１３０）の降伏点は、１００ｋＮ／ｍｍ２よりも小さく、好ましくは８０ｋＮ／ｍｍ２よりも小さく、且つ１０ｋＮ／ｍｍ２よりも大きく、特に好ましくは７０ｋＮ／ｍｍ２よりも小さく、且つ２０ｋＮ／ｍｍ２よりも大きいこと
を特徴とする、請求項１に記載の車両投光器（１，１０１）。
【請求項３】
前記車両投光器は、少なくとも２つの間隔要素（３０，３１，１３０）と少なくとも２つの結合手段（２０，２１，１２０）を含み、該少なくとも２つの間隔要素（３０，３１，１３０）は、前記支持体（１０，１１０）に関して前記保持部材（４０，１４０）の調整が達成できるように配置されており、この調整において、該少なくとも２つの間隔要素（３０，３１，１３０）は、調整されたポジションにおいてそれぞれ異なる高さ（３５，３６）を有することができること
を特徴とする、請求項１又は２に記載の車両投光器（１，１０１）。
【請求項４】
前記光源（２，１０２）と前記支持体（１０，１１０）の間に回路基板（４，１０４）が配置されており、前記回路基板（４，１０４）上に前記光源（２，１０２）が固定されていること
を特徴とする、請求項１〜３のいずれか一項に記載の車両投光器（１，１０１）。
【請求項５】
前記支持体（１０，１１０）に冷却体が配設されているか、又は前記支持体自体が冷却リブ又は冷却ピンを有し、前記支持体（１０，１１０）上に少なくとも１つの前記光源（２，１０２）が固定されており、
好ましくは、前記光源（２，１０２）と前記冷却体の間に回路基板（４，１０４）が配置されており、前記回路基板（４，１０４）上に前記光源（２，１０２）が固定されていること
を特徴とする、請求項１〜３のいずれか一項に記載の車両投光器（１，１０１）。
【請求項６】
前記支持体（１０，１１０）は、通過開口部を有し、前記光源（２，１０２）は、前記通過開口部を通って突出するよう配設されること
を特徴とする、請求項５に記載の車両投光器（１，１０１）。
【請求項７】
前記支持体（１０，１１０）は、それぞれ深さ（１６，１７）をもつ少なくとも１つの窪み部（１４，１５）を更に有し、前記少なくとも１つの窪み部（１４，１５）は、前記少なくとも１つの間隔要素（３０，３１，１３０）を受容するために設けられ、実質的に前記少なくとも１つの間隔要素（３０，３１，１３０）の外側輪郭に対して相補的に形成されており、前記少なくとも１つの間隔要素（３０，３１，１３０）の高さ（３５，３６）は、前記少なくとも１つの窪み部（１４，１５）の前記深さ（１６，１７）よりも大きいこと
を特徴とする、請求項１〜６のいずれか一項に記載の車両投光器（１，１０１）。
【請求項８】
前記少なくとも１つの間隔要素（３０，３１，１３０）と前記支持体（１０，１１０）との間、及び／又は前記少なくとも１つの間隔要素（３０，３１，１３０）と前記保持部材（４０，１４０）との間、及び／又は前記少なくとも１つの結合手段（２０，２１，１２０）と前記支持体（１０，１１０）との間に、好ましくは流体状の接着剤（５１，１５１）を含んだ層が施されており、
好ましくは、前記接着剤（５１，１５１）は、所定数のマイクロカプセル（５０）内に包埋され、好ましくは、前記所定数のマイクロカプセル（５０）が埋蔵されている流体状の担体材料により担持されており、
好ましくは、前記少なくとも１つの結合手段（２０，２１，１２０）による前記保持部材（４０，１４０）と前記支持体（１０，１１０）の力結合式の結合により、前記所定数のマイクロカプセル（５０）が、少なくとも部分的に破裂し、包埋されている前記接着剤（５１，１５１）を解放すること
を特徴とする、請求項１〜７のいずれか一項に記載の車両投光器（１，１０１）。
【請求項９】
前記少なくとも１つの間隔要素（３０，３１，１３０）は、それぞれ間隔要素開口部を有し、好ましくはトーラス形状を有し、前記少なくとも１つの結合手段（２０，２１，１２０）は、前記間隔要素開口部を通って案内されていること
を特徴とする、請求項１〜８のいずれか一項に記載の車両投光器（１，１０１）。
【請求項１０】
前記少なくとも１つの結合手段は、ねじであり、好ましくは、前記支持体（１０，１１０）の前記穴部（１２，１３）は、前記少なくとも１つの結合手段（２０，２１，１２０）と係合するように構成されたねじ山部を有すること
を特徴とする、請求項１〜９のいずれか一項に記載の車両投光器（１，１０１）。
【請求項１１】
前記支持体（１０，１１０）は、少なくとも１つの圧潰リブ（７０，１７０）を含み、前記圧潰リブ（７０，１７０）は、調整された状態で前記保持部材（４０，１４０）と係合するように構成されていること
を特徴とする、請求項１〜１０のいずれか一項に記載の車両投光器（１，１０１）。
【請求項１２】
車両投光器（１，１０１）の光源（２，１０２）と前置光学系（３，１０３）を互いに取り付けて調整するための方法であって、
前記光源（２，１０２）は、前記前置光学系（３，１０３）を通して光を放射するように構成され、前記前置光学系（３，１０３）は、その光を集束するか又は成形するように構成されており、
前記車両投光器（１，１０１）は、更に支持体（１０，１１０）と保持部材（４０，１４０）を含み、そして以下の方法ステップが実行される：
−  前記支持体（１０，１１０）の載置面（１１）の領域に前記光源（２，１０２）を配置して位置固定するステップであり、前記支持体（１０，１１０）には、縦方向に延在し且つ縦延在の方向に軸線（２２，２３）を有する少なくとも１つの結合手段（２０，２１，１２０）を受容するための穴部（１２，１３）が設けられており、
−  前記支持体（１０，１１０）上に少なくとも１つの間隔要素（３０，３１，１３０）を配置し、前記間隔要素（３０，３１，１３０）上に保持部材（４０，１４０）を配置するステップであり、但し前記保持部材（４０，１４０）は、前記前置光学系（３，１０３）と固定結合されており、前記少なくとも１つの結合手段（２０，２１，１２０）を受容するために設けられた少なくとも１つの開口部（４１，４２）を有し、
−  前記少なくとも１つの結合手段（２０，２１，１２０）をそれぞれの前記開口部（４１，４２）とそれぞれの前記穴部（１２，１３）に挿入するステップ、
−  前記軸線（２２，２３）に対して直角方向に規定されたＸＹ面内で前記光源（２，１０２）に対して前記前置光学系（３，１０３）を位置合わせすることにより、初期調整状態を作るステップ、
−  前記少なくとも１つの結合手段（２０，２１，１２０）を用いて第１の力（８０）を加えることで前記支持体（１０，１１０）と前記保持部材（４０，１４０）を結合することにより、ＸＹ面内で前記初期調整状態を固定するステップであり、該ステップでは、第１の調整高さ（６１）を有する第１の調整状態が達成され、
−  前記支持体（１０，１１０）と前記保持部材（４０，１４０）の間に前記結合手段（２０，２１，１２０）を用いて第３の力（８２）を加えることにより、ＸＹ面内で且つ前記軸線（２２，２３）の方向において第３の調整状態を作るステップであり、該ステップでは、第３の調整高さ（６３）が達成されること
を特徴とする方法。
【請求項１３】
前記少なくとも１つの結合手段（２０，２１，１２０）を挿入するステップの前に、前記少なくとも１つの間隔要素（３０，３１，１３０）及び／又は前記結合手段（２０，２１，１２０）の外側表面上に、活性化可能な接着剤（５１，１５１）が施されており、
前記第３の調整状態を作るステップの前に、以下のステップが実行される：
−  第２の調整状態を作るステップであり、該ステップでは、前記接着剤（５１，１５１）が、前記支持体（１０，１１０）と前記保持部材（４０，１４０）の間に前記結合手段（２０，２１，１２０）を用いて第２の力（８１）を加えることにより活性化され、第２の調整高さ（６２）が達成され、そして、
前記第３の調整状態を作るステップの後に、以下のステップが実行される：
−  活性化された前記接着剤（５１，１５１）を硬化することにより、ＸＹ面内で且つ前記軸線（２２，２３）の方向において前記第３の調整高さ（６３）で前記第３の調整状態を固定するステップ、
を特徴とする、請求項１２に記載の方法。
【請求項１４】
前記少なくとも１つの間隔要素（３０，３１，１３０）を配置する前に、前記少なくとも１つの間隔要素（３０，３１，１３０）と前記支持体（１０，１１０）との間、及び／又は前記少なくとも１つの間隔要素（３０，３１，１３０）と前記保持部材（４０，１４０）との間、及び／又は前記少なくとも１つの結合手段（２０，２１，１２０）と前記支持体（１０，１１０）との間に、好ましくは流体状の活性化可能な接着剤（５１，１５１）を含んだ層が施されること
を特徴とする、請求項１２又は１３に記載の方法。
【請求項１５】
接着剤（５１，１５１）が、所定数のマイクロカプセル（５０）内に包埋されており、好ましくは、前記所定数のマイクロカプセル（５０）が埋蔵されている流体状の担体材料により担持され、前記所定数のマイクロカプセル（５０）は、これらのマイクロカプセル（５０）に機械的な力が作用することで少なくとも部分的に破裂し、包埋されている前記接着剤（５１，１５１）を解放すること
を特徴とする、請求項１２〜１４のいずれか一項に記載の方法。
【請求項１６】
前記少なくとも１つの間隔要素（３０，３１，１３０）の弾性係数は、前記保持部材（４０，１４０）及び／又は前記支持体（１０，１１０）の弾性係数よりも小さく、
好ましくは、前記少なくとも１つの間隔要素（３０，３１，１３０）の弾性係数は、８０ｋＮ／ｍｍ２よりも小さく、好ましくは３０ｋＮ／ｍｍ２よりも小さく、特に好ましくは４ｋＮ／ｍｍ２よりも小さく、且つ１ｋＮ／ｍｍ２よりも大きく、
好ましくは、前記少なくとも１つの間隔要素（３０，３１，１３０）の降伏点は、１００ｋＮ／ｍｍ２よりも小さく、好ましくは８０ｋＮ／ｍｍ２よりも小さく、且つ１０ｋＮ／ｍｍ２よりも大きく、特に好ましくは７０ｋＮ／ｍｍ２よりも小さく、且つ２０ｋＮ／ｍｍ２よりも大きいこと
を特徴とする、請求項１２〜１５のいずれか一項に記載の方法。
【発明の詳細な説明】
【技術分野】
【０００１】
本発明は、光源と前置光学系（追加光学系 Vorsatzoptik）を含んだ車両投光器（例えば車両前照灯）に関し、この際、光源は、前置光学系を通して光を放射するように構成され、前置光学系は、その光を集束するか又は成形するように構成されており、光源は、車両投光器内に設けられた支持体上に固定されており、該支持体には、少なくとも１つの結合手段を受容するための穴部がそれぞれ設けられており、更に支持体上には、少なくとも１つの間隔要素（スペーサ要素）が載置面上にそれぞれ配置されており、この際、少なくとも１つの間隔要素は、載置面に対して直角方向に高さを有し、保持部材（保持湾曲部材）が、少なくとも１つの間隔要素上に配置されており、この際、保持部材は、前置光学系と固定結合されており、少なくとも１つの結合手段を受容するために設けられた開口部をそれぞれ有し、少なくとも１つの結合手段は、それぞれ軸線に沿って延在し、支持体と保持部材を結合するために設けられ、そのためにそれぞれの開口部とそれぞれの穴部に挿入されている。
【０００２】
更に本発明は、車両投光器の光源と前置光学系を取り付けて調整するための方法に関し、この際、光源は、前置光学系を通して光を放射するように構成され、前置光学系は、その光を集束するか又は成形するように構成されている。
【背景技術】
【０００３】
車両投光器の光学コンポーネントを組み立てる際には、車両投光器の所望の光学機能を達成するために、これらのコンポーネントを互いに調整（アジャスト）することが必要である。この調整は、光学コンポーネントの互いの正確な位置合わせ（即ち配向）の他に、組み立ての過程中の簡単な取り扱いを要求する。更にこの調整は、持続的であるように行われ、車両投光器の寿命の間、温度変動や振動のような環境の影響に対して特に頑強であることが必要である。
【先行技術文献】
【特許文献】
【０００４】
【発明の概要】
【発明が解決しようとする課題】
【０００５】
車両投光器の今日の構成は、多くの場合、構成が複雑であり、取り付けが高すぎるコストをもたらし、又は調整状態が時間と共に又は過剰の負荷により緩んでしまい、高価な再調整が必要になるという欠点を有する。
【０００６】
本発明の課題は、従来技術の前記欠点が克服される、冒頭に記載した形式の方法及び車両投光器を創作することである。
【課題を解決するための手段】
【０００７】
前記課題は、冒頭に記載した形式の車両投光器において、少なくとも１つの結合手段が開口部に挿入されているが位置固定されていない保持部材の第１のポジションにおいて、保持部材は、少なくとも１つの結合手段に関し、開口部の内側で軸線に対して直角方向の面内で運動可能であり、それにより前記面内で、支持体上に固定された光源に関し、保持部材に固定された前置光学系の位置合わせ（即ち配向）が可能であり、更に少なくとも１つの間隔要素は、少なくとも１つの結合手段を用い、保持部材と支持体により一緒に押圧可能であり、この際、少なくとも１つの間隔要素の高さは、光源と前置光学系を互いに軸線の方向で位置合わせするために減少され、保持部材の固定の第２のポジションが達成されることにより解決される。
【発明を実施するための形態】
【０００８】
以下、発明を実施するための形態について説明する。
【０００９】
少なくとも１つの間隔要素の弾性係数が、保持部材及び／又は支持体の弾性係数よりも小さいと、有利である。それにより保持部材及び／又は支持体を押し付ける際には、少なくとも１つの間隔要素がより容易に圧縮可能であることが達成される。
【００１０】
少なくとも１つの間隔要素の弾性係数が８０ｋＮ／ｍｍ２よりも小さく、好ましくは３０ｋＮ／ｍｍ２よりも小さく、特に好ましくは４ｋＮ／ｍｍ２よりも小さく、且つ１ｋＮ／ｍｍ２よりも大きいと、特に有利である。それにより少なくとも１つの間隔要素がより容易に圧縮可能であることが達成される。
【００１１】
少なくとも１つの間隔要素の降伏点が１００ｋＮ／ｍｍ２よりも小さく、好ましくは８０ｋＮ／ｍｍ２よりも小さく、且つ１０ｋＮ／ｍｍ２よりも大きく、特に好ましくは７０ｋＮ／ｍｍ２よりも小さく、且つ２０ｋＮ／ｍｍ２よりも大きいと、特に有利である。それにより少なくとも１つの間隔要素がより容易に圧縮可能であることが達成される。
【００１２】
本発明の更なる一構成において、弾性係数及び降伏点のための前記限界値は、少なくとも１つの間隔要素の材料特性の更に良好な適合を得るために、組み合わされることが可能であり、それらの材料特性は、本発明によるアセンブリ（組み立て配置部材）にとって特に有利である。
【００１３】
本発明の更なる一構成において、車両投光器は、少なくとも２つの間隔要素と少なくとも２つの結合手段を含み、この際、少なくとも２つの間隔要素は、支持体に関して保持部材の調整が達成できるように配置されており、この調整において、少なくとも２つの間隔要素は、調整されたポジションでそれぞれ異なる高さを有することができる。それにより取り付けの影響、例えば光源又は前置光学系の取り付けの影響を簡単に補償できることが達成される。
【００１４】
光源と支持体の間に回路基板（導体プレート）が配置されており、該回路基板上に光源が固定されていると、有利である。それにより光源は、簡単に電気的にコンタクトされ、機械的に支持体と結合されることが可能である。光源は、例えばＬＥＤ又はレーザダイオードのような半導体発光素子の形式の複数の発光素子を含むことができ、これらの発光素子は、共通の又は複数の回路基板ないし回路支持体上に取り付けられている。光源を制御するための導電線路（導体路）と更なる電子装置コンポーネントは、回路基板に含まれていることが可能である。複数の発光素子が使用されると、多くの場合、縦長で延在する光学的な光導体、又は光学的な集光レンズの形式のそれぞれの前置光学系要素を設けることが必要である。複数の光学系要素から構成することのできる前置光学系は、共通の保持器（ホルダ）に固定されている。
【００１５】
更に、支持体に冷却体（ヒートシンク）が配設されているか、又は支持体自体が冷却リブ（冷却フィン）又は冷却ピンを有し、支持体上に少なくとも１つの光源が固定されていると、有利である。それにより光源において稼働時に発生する出力損失（熱）を排出することができる。冷却体と支持体の結合により、機械的に安定し且つ負荷可能な結合が作られ、この結合は、保持器と支持体の間の調整可能な結合においても考慮される。
【００１６】
或いは、光源と冷却体の間に、光源が固定されている回路基板を配置することも可能である。上述のように、複数の発光素子、更なる電子装置コンポーネント、並びに導電線路は、回路基板に含まれていることが可能である。
【００１７】
本発明の有利な一実施形態において、支持体は、通過開口部を有し、光源は、この通過開口部を通って突出するように配設される。
【００１８】
更に支持体が、それぞれ深さをもつ少なくとも１つの窪み部（凹部）を有すると、有利であり、少なくとも１つの窪み部は、少なくとも１つの間隔要素を受容するために設けられ、実質的に少なくとも１つの間隔要素の外側輪郭に対して相補的に形成されており、この際、少なくとも１つの間隔要素の高さは、少なくとも１つの窪み部の深さよりも大きい。それにより間隔要素が取り付けの前に既に固定的に所定のポジションに保持されることが達成される。
【００１９】
それに加え、少なくとも１つの間隔要素と支持体との間、及び／又は少なくとも１つの間隔要素と保持部材との間、及び／又は少なくとも１つの結合手段と支持体との間に、好ましくは流体状の接着剤を含んだ層が施されていると、有利である。接着剤により、アセンブリは、調整後に位置固定され、結合の自己弛緩に対して安定していることが達成される。自動車の環境内では、例えば、アセンブリの調整欠如をもたらしてしまう望まれない温度の影響が生じる可能性がある。
【００２０】
更に、接着剤が所定数のマイクロカプセル内に包埋され、好ましくは、前記所定数のマイクロカプセルが埋蔵されている流体状の担体材料により担持されていると、有利である。マイクロカプセル化された接着剤、例えばワンコンポーネント接着剤（１Ｋ）又はツーコンポーネント接着剤（２Ｋ）を使用することにより、アセンブリの調整ためには、接着剤の適用後に即座に硬化し始めてそれにより調整を困難にする従来の接着剤を使用する場合よりも、多くの取り付け時間が確保されることを達成することができる。更に前述の窪み部により、少なくとも１つの結合手段の軸線方向において少なくとも１つの間隔要素を圧縮する際には、少なくとも１つの間隔要素が窪み部の壁部に対して押圧され、そのようにしてマイクロカプセルが破裂し、それにより接着剤が流れ出し、例えば２Ｋ接着剤の硬化剤と混合し、そして硬化できることが達成される。
【００２１】
このことは、少なくとも１つの結合手段による保持部材と支持体の力結合式の結合（即ち締付結合）により、所定数のマイクロカプセルが、少なくとも部分的に破裂し、包埋されている接着剤を解放すると、達成されることが可能である。
【００２２】
簡単な実現化のためには、少なくとも１つの間隔要素が、それぞれ間隔要素開口部を有し、好ましくはトーラス形状（円環形状）を有し、少なくとも１つの結合手段が、間隔要素開口部を通って案内されていると、有利である。
【００２３】
保持部材の開口部の内径が、結合手段の外径よりも大きいと、有利である。換言すると、アセンブリがまだ位置固定されていないときに、保持部材は、調整のために結合手段の周りで可動であるべきである。
【００２４】
更に、簡単な実現化のためには、少なくとも１つの結合手段が、ねじであり、好ましくは、支持体の穴部が、少なくとも１つの結合手段と係合（螺合）するように構成されたねじ山部を有すると、有利である。
【００２５】
更に、支持体が、少なくとも１つの圧潰リブ（加圧により部分的に圧潰可能なリブ  Quetschrippe）を含み、該圧潰リブが、調整された状態で保持部材と係合するように構成されていると、有利である。それによりアセンブリの調整を、少なくとも１つの結合手段の軸線方向に対して直角方向の面内で行うことができ、そして少なくとも１つの結合手段の軸線方向において調整が行われる前には、少なくとも１つの結合手段を介して作用する力を増加することにより、アセンブリは、前記面内で位置固定されている。この順序は、調整過程を著しく容易にする。
【００２６】
前記課題は、対応する方法によっても解決される。本方法は、車両投光器の光源と前置光学系を互いに取り付けて調整することに関し、この際、前置光学系は、光源から放射された光を集束するか又は成形するように構成されており、この際、車両投光器は、更に支持体と保持部材を含み、そして以下の方法ステップが実行される：
【００２７】
−  支持体の載置面の領域に光源を配置して位置固定するステップであり、支持体には、縦方向に延在し且つ縦延在の方向に軸線を有する少なくとも１つの結合手段を受容するための穴部が設けられており、
−  支持体上に少なくとも１つの間隔要素を配置し、間隔要素上に保持部材を配置するステップであり、但し保持部材は、前置光学系と固定結合されており、少なくとも１つの結合手段を受容するために設けられた少なくとも１つの開口部を有し、
−  少なくとも１つの結合手段をそれぞれの開口部とそれぞれの穴部に挿入するステップ、
−  軸線に対して直角方向に規定されたＸＹ面内で光源と前置光学系を位置合わせ（即ち配向）することにより、初期調整状態を作るステップ、
−  少なくとも１つの結合手段を用いて第１の力を加えることで支持体と保持部材を結合することにより、ＸＹ面内で初期調整状態を固定するステップであり、該ステップでは、第１の調整高さを有する第１の調整状態が達成され、
−  支持体と保持部材の間に結合手段を用いて第３の力を加えることにより、ＸＹ面内で且つ軸線の方向において第３の調整状態を作るステップであり、該ステップでは、第３の調整高さが達成される。
【００２８】
個々の方法ステップの進行順序は、必要に応じ、異なる実施形態において、それぞれの要求に応じて適合されることが可能である。しかし本方法は、好ましくは前記の順序で実行されるべきである。
【００２９】
本発明による方法により、車両投光器の少なくとも１つの光源と少なくとも１つの前置光学系を取り付け、互いに特に簡単に調整できることが達成される。
【００３０】
本発明の更なる一構成において、弾性係数及び降伏点のための前記限界値は、少なくとも１つの間隔要素の材料特性の更に良好な適合を得るために組み合わされることが可能であり、それらの材料特性は、本発明によるアセンブリにとって特に有利である。
【００３１】
少なくとも１つの結合手段を挿入するステップの前に、少なくとも１つの間隔要素の外側表面上に、活性化可能な接着剤が施されていると、有利であり、
第３の調整状態を作るステップの前に、以下のステップが実行される：
−  第２の調整状態を作るステップであり、該ステップでは、接着剤が、支持体と保持部材の間に結合手段を用いて第２の力を加えることにより活性化され、第２の調整高さが達成され、そして、
第３の調整状態を作るステップの後に、以下のステップが実行される：
−  活性化された接着剤を硬化することにより、ＸＹ面内で且つ軸線の方向において第３の調整高さで第３の調整状態を固定するステップ。
【００３２】
接着剤を使用することにより、全アセンブリは、調整が行われた後も、例えば機械的で且つ熱的な作用がアセンブリの調整に不利に影響を及ぼす可能性のある車両の稼働中でも、長期間にわたって位置固定されたままであることを達成することができる。
【００３３】
接着剤は、取り付けられていないアセンブリにおいて、活性化可能な形態にある。例えば、ツーコンポーネント（２Ｋ）接着剤は、接着剤と２Ｋ接着剤の硬化剤とが互いに接触するに至るまでの間は、非活性状態にある。代替的にワンコンポーネント（１Ｋ）接着剤は、１Ｋ接着剤が周囲の空気と反応して硬化することができるに至るまでの間は、非活性状態にある。本方法が活性化可能な接着剤の使用を提案することにより、調整と取り付けを実行する人には、調整と取り付けのために十分な時間が提供されている。しかし接着結合部の硬化が信頼性をもって行われ得るためには、接着剤の活性化が行われた後に調整が迅速に完了されなくてはならない。
【００３４】
更に、接着剤が間隔要素の外側表面を濡らすと、有利である。
【００３５】
本発明の好ましい更なる一展開形態において、少なくとも１つの間隔要素と支持体との間、及び／又は少なくとも１つの間隔要素と保持部材との間、及び／又は少なくとも１つの結合手段と支持体との間に、好ましくは流体状の活性化可能な接着剤を含んだ層が施されていると、有利である。それにより全結合部を持続的に位置固定することができる。
【００３６】
更に、接着剤が、所定数のマイクロカプセル内に包埋されており、好ましくは、前記所定数のマイクロカプセルが埋蔵されている流体状の担体材料により担持され、前記所定数のマイクロカプセルが、これらのマイクロカプセルに機械的な力が作用することで少なくとも部分的に破裂し、埋め込まれている接着剤を解放すると、有利である。それにより簡単な実現化が達成される。マイクロカプセルを破裂させる機械的な力に即して、全アセンブリの調整と取り付けにおいて機能を満たし且つ作用する全ての力を量定することができる。
【００３７】
少なくとも１つの間隔要素の弾性係数が、保持部材及び／又は支持体の弾性係数よりも小さいと有利であることが、本調整及び取り付け方法にも該当する。
【００３８】
更に、少なくとも１つの間隔要素の弾性係数が８０ｋＮ／ｍｍ２よりも小さく、好ましくは３０ｋＮ／ｍｍ２よりも小さく、特に好ましくは４ｋＮ／ｍｍ２よりも小さく、且つ１ｋＮ／ｍｍ２よりも大きいと、本方法にとっても有利である。
【００３９】
更に、少なくとも１つの間隔要素の降伏点が１００ｋＮ／ｍｍ２よりも小さく、好ましくは８０ｋＮ／ｍｍ２よりも小さく、且つ１０ｋＮ／ｍｍ２よりも大きく、特に好ましくは７０ｋＮ／ｍｍ２よりも小さく、且つ２０ｋＮ／ｍｍ２よりも大きいと、本方法にとって有利である。
【００４０】
本発明の更なる一構成において、弾性係数及び降伏点のための前記限界値は、少なくとも１つの間隔要素の材料特性の更に良好な適合を得るために組み合わされることが可能であり、それらの材料特性は、本発明による方法にとって特に有利である。
【００４１】
以下、本発明並びにその利点を、添付の図面に具体的に図示された、限定ではない実施例に基づき、詳細に説明する。
【図面の簡単な説明】
【００４２】
【図１】本発明による調整方法により組み立てることのできる車両投光器の一実施例の分解図を示す図である。
【図２】本発明による調整方法の初期状態を示す、図１の一拡大部分を示す図である。
【図３】アセンブリが組み立てられて第１の調整が行われる、初期調整状態を伴う第１の方法ステップを示す図である。
【図４】第１の調整状態を伴う更なる方法ステップを示す図であり、ここでは、その調整状態が固定される。
【図５】第２の調整状態を伴う引き続く方法ステップを示す図であり、ここでは、調整のために接着剤が活性化される。
【図６】第３の調整状態を伴う最後の方法ステップを示す図である。
【図７】支持体が追加的な冷却体を含む、更なる一実施例の横断面図を示す図である。
【実施例】
【００４３】
さて、図１から図７に関連し、本発明の実施例を詳細に説明する。特に投光器内の本発明にとって重要な部分が図示されており、この際、投光器が、特に乗用車やオートバイのような車両において目的に適った使用を可能とする多数の他の非図示部分も含んでいることは、明らかである。従って一目瞭然性のために、例えば、構成部材のための冷却装置、駆動制御電子装置、更なる光学要素、機械的な位置調節装置、ないし把持器などは、示されていない。
【００４４】
図１から図３は、光源２と前置光学系（追加光学系、光源から光進行方向で見て
前方に配設した光学系 Vorsatzoptik）３を含んだ車両投光器１（例えば車両前照灯）を示し、この際、光源２は、前置光学系３を通して光を放射するように構成され、その光は、前置光学系３により集束されるか又は成形される。
【００４５】
図１には、ＸＹＺ座標系も記載されており、このＸＹＺ座標系に基づき、本発明によるアセンブリ（組み立て配置部材）の調整が行われるべきである。
【００４６】
光源２は、車両投光器１内に設けられた支持体１０上に固定されており、支持体１０には、２つの結合手段２０、２１を受容するための穴部１２、１３がそれぞれ設けられている。
【００４７】
光源２は、複数の光電子構成部材から、好ましくは複数のＬＥＤ又はレーザダイオードから構成されていることが可能である。この際、光源２の複数の発光要素は、車両投光器１の異なる光機能のために使用され、その意味で異なって稼働されることが可能である。
【００４８】
光源２と支持体１０の間には、回路基板（導体プレート）４が配設されており、回路基板４上に光源２が固定されている。回路基板４上には、光源２の電気的なコンタクトのためにコンタクト接続面と導電線路（導体路）を設けることができる（非図示）。好ましくは、光源２は、半田付けか又は接着によりコンタクト接続面と電気的に且つ機械的に結合される。
【００４９】
結合手段２０、２１は、この実施例では、ねじであり、支持体１０の穴部１２、１３は、それぞれ雌ねじ部を有し、この雌ねじ部は、それぞれ相補的な雄ねじ部を含んだ２つの結合手段２０、２１と係合（螺合）するように構成されている。基本的に結合手段は、例えばリベットのような、他の適切な要素であってもよい。或いは結合手段２０、２１は、例えば、ナットにより両側で位置調節可能に制限されているねじ付きロッドでもよい。
【００５０】
更に支持体１０は、複数の圧潰リブ７０を含み、これらの圧潰リブ７０は、調整された状態で保持部材４０と係合するように構成されている。これらの圧潰リブ７０は、必ずしも必要ではないが、後続して実行されるアセンブリの調整を容易にし、これは、結合手段２０、２１の縦延在の方向に対して直角方向に置かれたＸＹ面内での位置合わせの状態（即ち配向の状態）が、それらの圧潰リブ７０を介して側方の摩擦係数を増加できることにより、第１のステップにおいて位置固定できることによる。圧潰リブ７０は、針状、円形状、又は線形状の要素から形成され、そのような要素の１つ又は複数から構成されていることが可能である。
【００５１】
更に２つの間隔要素３０、３１が、支持体１０上でそれぞれ載置面１１の領域に配置されており、この際、これらの２つの間隔要素３０、３１は、それぞれ載置面１１に対して直角方向に高さ３５、３６を有する。
【００５２】
２つの間隔要素３０、３１は、支持体１０に関して保持部材（保持湾曲ないし屈曲部材  Haltebuegel）４０の調整を達成することができるように配設されており、この調整において、これらの２つの間隔要素３０、３１は、調整されたポジションでそれぞれ異なる高さ３５、３６を有することができる。
【００５３】
更に支持体１０は、それぞれ深さ１６、１７をもつ２つの窪み部（凹部）１４、１５を有し、これらの窪み部１４、１５は、それぞれ間隔要素３０、３１を受容するために設けられ、実質的に少なくとも１つの間隔要素３０、３１の外側輪郭に対して相補的に形成されており、この際、２つの間隔要素３０、３１の高さ３５、３６は、２つの窪み部１４、１５の深さ１６、１７よりも大きい。窪み部１４、１５の深さ１６、１７は、好ましくは同じ大きさである。
【００５４】
窪み部は、代替的にめくら穴として構成されていることも可能であり、めくら穴は、完全には支持体を通って延在してなく、ねじの形式の結合手段を受容するためのねじ山部を有する。
【００５５】
基本的に、窪み部のためには、他の形状も可能である。窪み部の形状が、窪み部内に挿入されるべき間隔要素の形状に対応すると、有利である。
【００５６】
多くの実施形態では、間隔要素３０、３１が、例えば対応の窪み部内で互いに積み重ねることのできる複数の間隔要素ユニットから成ると、有利であり得る。
【００５７】
更に保持部材４０は、２つの間隔要素３０、３１上に配置されており、この際、保持部材４０は、前置光学系３と固定結合されており、２つの結合手段２０、２１を受容するために設けられた開口部４１、４２をそれぞれ有する。
【００５８】
それぞれ軸線２２、２３に沿って延在し、支持体１０と保持部材４０を結合するために設けられている結合手段２０、２１は、その目的のためにそれぞれの開口部４１、４２とそれぞれの穴部１２、１３に挿入される。
【００５９】
穴部１２、１３は、それぞれのねじ２０、２１のねじ山部を受容するために、ねじ山部１８、１９をそれぞれ有する。
【００６０】
さて、図３から図６に関連し、アセンブリの調整について、より詳細に説明するが、この際、対応の穴部１２、ねじ山部１８、窪み部１４、軸線２２を有する図１の結合手段２０だけが図示されている。勿論、同じことが、図１で見ることのできる、対応の穴部１３、ねじ山部１９、窪み部１５、軸線２３を有する結合手段２１にも当てはまる。
【００６１】
２つの結合手段２０、２１が開口部４１、４２に挿入されているが位置固定されていない保持部材４０の第１のポジションにおいて、保持部材４０は、２つの結合手段２０、２１に関し、開口部４１、４２の内側で軸線２２、２３に対して直角方向の面内で運動可能であり、それにより前記面内で、支持体１０上に固定された光源２に関し、保持部材４０に固定された前置光学系３の位置合わせ（即ち配向）が可能である。この例において、調整面は、図１のＸＹ面であり、該ＸＹ面は、他の図でも示されている。
【００６２】
ＸＹ面内の調整は、結合手段２０、２１の外径２５と保持部材４０の開口部４１、４２の内径４５との間の間隔により制限される範囲内で行うことができる。換言すると、開口４１、４２の内径４５は、結合手段２０、２１の外径２５よりも大きいので、保持部材４０は、位置固定されていないが組み立てられた状態でその開口部４１、４２の内側で結合手段２０、２１の周りで可動である。
【００６３】
２つの間隔要素３０、３１は、２つの結合手段２０、２１を用い、保持部材４０と支持体１０により一緒に押圧可能であり、この際、２つの間隔要素３０、３１の高さ３５、３６は、光源２と前置光学系３を互いに軸線２２、２３の方向で位置合わせするために減少され、保持部材４０の固定の第２のポジションが達成される。
【００６４】
２つの間隔要素３０、３１は、それらの表面において、流体状の接着剤５１を含んだ層により覆われていることが可能であり、接着剤５１は、所定数のマイクロカプセル５０として前記層の担体材料に埋蔵されている。マイクロカプセル５０は、先ずは流体状の担体材料により担持され、流体状の担体材料は、間隔要素３０、３１上に施した後に乾燥し、それによりアセンブリの取り付けと調整を容易にする。
【００６５】
接着剤５１は、流体状、例えば、液状、ペースト状、又はゲル状とすることができる。接着剤５１の所定量の小滴が、それぞれ、マイクロビード（微小球体）５０を形成するシェルにより包囲されている。
【００６６】
マイクロビード５０のシェルに力を作用させることでマイクロビード５０が破裂し、含まれている接着剤５１は、流れ出すことができる。接着剤は、周囲空気の作用により硬化することができる。代替的に接着剤５１は、ツーコンポーネント接着剤の２つの接着剤成分から構成されていることが可能であり、これらの接着剤成分は、別々に異なるマイクロビード５０内に含まれていることが可能であり、またマイクロビード５０のシェルが破裂した後に、初めて互いの接触により反応する。それにより両方の接着剤成分が混合され、接着剤混合物が硬化することができる。
【００６７】
より高い力作用により、即ち２つの結合手段２０、２１による保持部材４０と支持体１０の力結合式の結合（即ち締付結合）により、所定数のマイクロカプセル５０が、少なくとも部分的に破裂し、包埋されている接着剤５１を解放することができる。
【００６８】
２つの間隔要素３０、３１は、それぞれ間隔要素開口部を有し、トーラス形状（円環体形状）で形成されている。２つの結合手段２０、２１は、間隔要素開口部を通って案内されている。この関連においてトーラス形状は、形状が円錐台の形状でもよく、例えば縁部が正確に形成されていなくても重要ではないことを意味する。少なくとも１つの保持部材４０の開口部４１、４２は、窪み部１４、１５よりも小さい横断面を有する。更に開口部４１、４２の内径４５は、結合手段２０、２１の外径２５よりも大きい。それによりアセンブリが結合手段２０、２１によりまだ位置固定されていない限り、ないし形状結合式の結合に達していない限り、保持部材４０は、軸線２２、２３に対して横方向に置かれた面内で調整可能であることを達成することができ、従って間隔要素３０、３１又は支持体１０に関する保持部材４０の側方の運動時の摩擦力が、更なる側方の運動を防止し、そのようにして第１の調整を達成する（図４を参照）。
【００６９】
作用する力８１（図５を参照）は、間隔要素３０、３１からマイクロビード５０に伝達され、マイクロビード５０は、予め定められた力の強さ以上で破裂する。この際、むしろ間隔要素３０、３１の端面部（挿入方向で前面部ないし背面部）に置かれているマイクロビード５０が破裂することは明らかである。しかし作用する力８１に基づく間隔要素３０、３１の圧縮により、間隔要素３０、３１が側方に膨張し、それにより側方に置かれたマイクロビード５０が破裂して接着剤５１が流れ出ることができることも可能である。この作用は、例えば、間隔要素３０、３１が、それぞれ、外側に位置するそれらの表面上に円錐台の先細り形状を有し、それにより側方に位置するマイクロビード５１がより強く押付力にさらされることにより、改善されることが可能である。
【００７０】
また破裂したマイクロビード５０から流れ出した接着剤５１により十分な接着作用を達成するためには、全てのマイクロビード５０が破裂している必要はないことは、明らかである。
【００７１】
接着剤５１は、接着によるねじロックの技術から既知である。マイクロカプセル化された接着剤は、塗料のような乾いて滑りのないコーティングになる。接着剤は、シェルが破れた後、その直後に硬化し始める。今日の製品は、速硬化システムであるため、既に１０〜１５分後には測定可能な結果が達成される。硬化は、２４時間後には完全に終了しているが、温度を加えることにより加速することもできる。硬化後には、所望の位置固定作用ないしロック作用が完全に達成され、同時に追加的なシール作用が達成される。
【００７２】
用途に応じ、固定と調整のために、前述の支持体１０、ねじ２０、間隔要素３０、保持部材（保持器）４０をそれぞれ含んだそのようなアセンブリを複数で使用することが必要であり得る。
【００７３】
まとめると、上述の内容、即ち図１及び図３から図６に示されたように、車両投光器１の光源２と前置光学系３を互いに取り付けて調整するための方法であって、この際、前置光学系３は、光源２から放射された光を集束するか又は成形するように構成されており、この際、車両投光器１は、更に支持体１０と保持部材４０を含んでおり、当該方法は、以下の方法ステップの実行により説明することができる：
【００７４】
−  支持体１０の載置面１１の領域に光源２を配置して位置固定するステップであり、支持体１０には、それぞれ縦方向に延在し且つ縦延在の方向にそれぞれ軸線２２、２３を有する、例えばねじである結合手段２０、２１を受容するための穴部１２、１３が設けられており、
−  支持体１０上に間隔要素３０、３１を配置し、間隔要素３０、３１上に保持部材４０を配置するステップであり、但し保持部材４０は、前置光学系３と固定結合されており、結合手段２０、２１を受容するために設けられた開口部４１、４２をそれぞれ有し、
−  結合手段２０、２１をそれぞれの開口部４１、４２とそれぞれの穴部１２、１３に挿入するステップであり、但し間隔要素３０、３１及び／又は結合手段２０、２１の外側表面上には、活性化可能な接着剤５１が施されており、
−  軸線２２、２３に対して直角方向に規定されたＸＹ面内で光源２に対して前置光学系３を位置合わせ（即ち配向）することにより、初期調整高さ６０（ここではｚ方向での光源２と前置光学系３の間の間隔）を有する初期調整状態を作るステップ、
−  少なくとも１つの結合手段２０、２１を用いて第１の力８０を加えることで支持体１０と保持部材４０を結合することにより、ＸＹ面内で初期調整状態を固定するステップであり、該ステップでは、第１の調整高さ６１を有する第１の調整状態が達成され、
−  第２の調整状態を作るステップであり、該ステップでは、接着剤５１が、支持体１０と保持部材４０の間に結合手段２０、２１を用いて第２の力８１を加えることにより活性化され、第２の調整高さ６２が達成され、
−  支持体１０と保持部材４０の間に結合手段２０、２１を用いて第３の力８２を加えることにより、ＸＹ面内で且つ軸線２２、２３の方向において第３の調整状態を作るステップであり、該ステップでは、第３の調整高さ６３が達成され、
−  活性化された接着剤５１を硬化することにより、ＸＹ面内で且つ軸線２２、２３の方向において第３の調整高さ６３で第３の調整状態を固定するステップ。
【００７５】
図３では、初期調整高さ６０を有する初期調整状態が示されており、初期調整高さ６０は、力８０の作用なしに得られ、この際、調整は、ＸＹ面内で行われる（図３の双方向矢印を参照）。
【００７６】
図４では、第１の調整高さ６１を有する第１の調整状態が示されており、第１の調整高さ６１は、第１の力８０の作用により達成される。第１の調整状態は、第１の力８０の印加により、図３に図示されたステップにより達成されたＸＹ面内でのアセンブリの滑りによる位置ずれを防止するために用いられる中間状態である。
【００７７】
図５では、第２の調整高さ６２を有する第２の調整状態が示されており、第２の調整高さ６２は、第２の力８１の作用により達成される。第２の調整状態は、第２の力８１の印加により、接着剤５１をマイクロカプセル５０の破裂により活性化するために用いられる中間状態である。
【００７８】
図６では、第３の調整高さ６３を有する第３の調整状態が示されており、第３の調整高さ６３は、第３の力８２の作用により達成される。第３の調整状態は、接着剤５１の硬化によりアセンブリを位置固定するために用いられる最終状態である。
【００７９】
この関連において、位置固定の作用を達成するためには、接着剤５１が全ての又は個々の表面を完全に濡らす必要はないことは、明らかである。
【００８０】
間隔要素３０、３１の配置前に、間隔要素３０、３１と支持体１０との間、及び／又は間隔要素３０、３１と保持部材４０との間、及び／又は結合手段２０、２１と支持体１０との間に、好ましくは流体状の活性化可能な接着剤５１を含んだ層が施される。
【００８１】
接着剤５１は、所定数のマイクロカプセル５０内に包埋されており、好ましくは、前記所定数のマイクロカプセル５０が埋蔵されている流体状の担体材料により担持され、前記所定数のマイクロカプセル５０は、これらのマイクロカプセル５０に対し、本方法において前述の第２の力８１に対応する機械的な力が作用することで少なくとも部分的に破裂し、包埋された接着剤５１を解放する。
【００８２】
間隔要素３０、３１の弾性係数には、この弾性係数が、保持部材４０及び／又は支持体１０の弾性係数よりもそれぞれ小さいことが当てはまる。
【００８３】
間隔要素３０、３１の弾性係数は、例えばアルミニウムの場合のように、８０ｋＮ／ｍｍ２よりも小さく、好ましくは３０ｋＮ／ｍｍ２よりも小さく、特に好ましくは４ｋＮ／ｍｍ２よりも小さく、例えばプラスチックの場合のように、且つ１ｋＮ／ｍｍ２よりも大きい。
【００８４】
間隔要素３０、３１の降伏点は、例えばアルミニウムの場合のように、１００ｋＮ／ｍｍ２よりも小さく、例えばプラスチックの場合のように、好ましくは８０ｋＮ／ｍｍ２よりも小さく、且つ１０ｋＮ／ｍｍ２よりも大きく、特に好ましくは７０ｋＮ／ｍｍ２よりも小さく、且つ２０ｋＮ／ｍｍ２よりも大きい。
【００８５】
間隔要素３０、３１の材料は、例えば、ポリアミドＰＡ、ポリカーボネートＰＣ、ＡＢＳ、ポリプロピレンＰＰ、ポリスチレンＰＳのようなプラスチック、又は特別な熱可塑性材料、或いはまたアルミニウムのような軟質金属とすることができる。
【００８６】
支持体１０の材料は、例えば、アルミニウム、銅、又は真鍮（黄銅）のような金属としてよく、保持部材４０は、例えば、ＰＣ、ＡＢＳ、又はＰＳのようなプラスチックから、或いはアルミニウム、又は真鍮や鋼板などの合金のような金属から構成されることが可能であり、この際、好ましくは、上述の材料特性が存在する。支持体１０の材料の良好な熱伝導率は、有利である。
【００８７】
保持部材４０の材料は、例えば、ＰＣ又はＰＳのような高い弾性係数を有するプラスチック、或いはまたアルミニウム又は鋼板のような金属としてもよい。材料の高い弾性係数は、有利である。
【００８８】
図７は、本発明の更なる一実施例の横断面図を示している。投光器１０１は、別個に形成された冷却体２１０と固定結合されている支持体１１０を有する。また支持体１１０と冷却体２１０が共通の結合された構成部材を構成することも考えられる。換言すると、支持体自体が、例えば冷却リブ（冷却フィン）又は冷却ピンを有することができる。
【００８９】
車両投光器１０１は、光源１０２と前置光学系１０３を含み、この際、光源１０２は、前置光学系１０３を通して光を放射するように構成され、その光は、前置光学系１０３により集束されるか又は成形される。
【００９０】
更にここでも、以前の図面に記載されたアセンブリと方法の説明が該当する。
【符号の説明】
【００９１】
１、１０１            車両投光器
２、１０２            光源
３、１０３            前置光学系
４、１０４            回路基板
１０、１１０          支持体
１１                  載置面
１２、１３            穴部
１４、１５            窪み部
１６、１７            窪み部の深さ
１８、１９、１１８    支持体の穴部のねじ山部
２０、２１、１２０    結合手段
２２、２３            結合手段の軸線
２５                  結合手段の外径
３０、３１、１３０    間隔要素
３５、３６            間隔要素の高さ
４０、１４０          保持部材（保持湾曲ないし屈曲部材）
４１、４２            開口部
４５                  開口部の内径
５０                  マイクロカプセル
５１、１５１          接着剤
６０、６１            調整高さ
６２、６３            調整高さ
７０、１７０          圧潰リブ
８０、８１、８２      作用する又は生成された力
２１０                冷却体
【図１】
2021506088.tif 000003
【図２】
2021506088.tif 000004
【図３】
2021506088.tif 000005
【図４】
2021506088.tif 000006
【図５】
2021506088.tif 000007
【図６】
2021506088.tif 000008
【図７】
2021506088.tif 000009
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
光源（２，１０２）と前置光学系（３，１０３）を含んだ車両投光器であって、
前記光源（２，１０２）は、前記前置光学系（３，１０３）を通して光を放射するように構成され、前記前置光学系（３，１０３）は、その光を集束するか又は成形するように構成されており、
前記光源（２，１０２）は、前記車両投光器（１，１０１）内に設けられた支持体（１０，１１０）上に固定されており、前記支持体（１０，１１０）には、少なくとも１つの結合手段（２０，２１，１２０）を受容するための穴部（１２，１３）がそれぞれ設けられており、
前記支持体（１０，１１０）上には、少なくとも１つの間隔要素（３０，３１，１３０）が載置面（１１）上にそれぞれ配置されており、前記少なくとも１つの間隔要素（３０，３１，１３０）は、前記載置面（１１）に対して直角方向に高さ（３５，３６）を有し、
保持部材（４０，１４０）が、前記少なくとも１つの間隔要素（３０，３１，１３０）上に配置されており、前記保持部材（４０，１４０）は、前記前置光学系（３，１０３）と固定結合されており、前記少なくとも１つの結合手段（２０，２１，１２０）を受容するために設けられた開口部（４１，４２）をそれぞれ有し、
前記少なくとも１つの結合手段（２０，２１，１２０）は、それぞれ軸線（２２，２３）に沿って延在し、前記支持体（１０，１１０）と前記保持部材（４０，１４０）を結合するために設けられ、そのためにそれぞれの前記開口部（４１，４２）とそれぞれの前記穴部（１２，１３）に挿入されている構成であり、
前記少なくとも１つの結合手段（２０，２１，１２０）が前記開口部（４１，４２）に挿入されているが位置固定されていない前記保持部材（４０，１４０）の第１のポジションおいて、前記保持部材（４０，１４０）は、前記少なくとも１つの結合手段（２０，２１，１２０）に関し、前記開口部（４１，４２）の内側で前記軸線（２２，２３）に対して直角方向の面内で運動可能であり、それにより前記面内で、前記支持体（１０，１１０）上に固定された前記光源（２，１０２）に関し、前記保持部材（４０，１４０）に固定された前記前置光学系（３，１０３）の位置合わせが可能であり、
前記少なくとも１つの間隔要素（３０，３１，１３０）は、前記少なくとも１つの結合手段（２０，２１，１２０）を用い、前記保持部材（４０，１４０）と前記支持体（１０，１１０）により一緒に押圧可能であり、それにより前記少なくとも１つの間隔要素（３０，３１，１３０）の前記高さ（３５，３６）が減少され、前記保持部材（４０，１４０）の固定の第２のポジションが達成されること
を特徴とする車両投光器。
【請求項２】
前記少なくとも１つの間隔要素（３０，３１，１３０）の弾性係数は、前記保持部材（４０，１４０）及び／又は前記支持体（１０，１１０）の弾性係数よりも小さいこと
を特徴とする、請求項１に記載の車両投光器。
【請求項３】
前記少なくとも１つの間隔要素（３０，３１，１３０）の弾性係数は、８０ｋＮ／ｍｍ２よりも小さく、又は３０ｋＮ／ｍｍ２よりも小さく、且つ１ｋＮ／ｍｍ２よりも大きく、或いは４ｋＮ／ｍｍ２よりも小さいこと
を特徴とする、請求項２に記載の車両投光器。
【請求項４】
前記少なくとも１つの間隔要素（３０，３１，１３０）の降伏点は、１００ｋＮ／ｍｍ２よりも小さく、又は８０ｋＮ／ｍｍ２よりも小さく、且つ１０ｋＮ／ｍｍ２よりも大きく、或いは７０ｋＮ／ｍｍ２よりも小さく、且つ２０ｋＮ／ｍｍ２よりも大きいこと
を特徴とする、請求項２又は３に記載の車両投光器。
【請求項５】
前記車両投光器は、少なくとも２つの間隔要素（３０，３１，１３０）と少なくとも２つの結合手段（２０，２１，１２０）を含み、該少なくとも２つの間隔要素（３０，３１，１３０）は、前記支持体（１０，１１０）に関して前記保持部材（４０，１４０）の調整が達成できるように配置されており、この調整において、該少なくとも２つの間隔要素（３０，３１，１３０）は、調整されたポジションにおいてそれぞれ異なる高さ（３５，３６）を有することができること
を特徴とする、請求項１〜４のいずれか一項に記載の車両投光器。
【請求項６】
前記光源（２，１０２）と前記支持体（１０，１１０）の間に回路基板（４，１０４）が配置されており、前記回路基板（４，１０４）上に前記光源（２，１０２）が固定されていること
を特徴とする、請求項１〜５のいずれか一項に記載の車両投光器。
【請求項７】
前記支持体（１０，１１０）に冷却体が配設されているか、又は前記支持体自体が冷却リブ又は冷却ピンを有し、前記支持体（１０，１１０）上に少なくとも１つの前記光源（２，１０２）が固定されていること
を特徴とする、請求項１〜５のいずれか一項に記載の車両投光器。
【請求項８】
前記光源（２，１０２）と前記冷却体の間に回路基板（４，１０４）が配置されており、前記回路基板（４，１０４）上に前記光源（２，１０２）が固定されていること
を特徴とする、請求項７に記載の車両投光器。
【請求項９】
前記支持体（１０，１１０）は、通過開口部を有し、前記光源（２，１０２）は、前記通過開口部を通って突出するよう配設されること
を特徴とする、請求項７又は８に記載の車両投光器。
【請求項１０】
前記支持体（１０，１１０）は、それぞれ深さ（１６，１７）をもつ少なくとも１つの窪み部（１４，１５）を更に有し、前記少なくとも１つの窪み部（１４，１５）は、前記少なくとも１つの間隔要素（３０，３１，１３０）を受容するために設けられ、実質的に前記少なくとも１つの間隔要素（３０，３１，１３０）の外側輪郭に対して相補的に形成されており、前記少なくとも１つの間隔要素（３０，３１，１３０）の高さ（３５，３６）は、前記少なくとも１つの窪み部（１４，１５）の前記深さ（１６，１７）よりも大きいこと
を特徴とする、請求項１〜９のいずれか一項に記載の車両投光器。
【請求項１１】
前記少なくとも１つの間隔要素（３０，３１，１３０）と前記支持体（１０，１１０）との間、及び／又は前記少なくとも１つの間隔要素（３０，３１，１３０）と前記保持部材（４０，１４０）との間、及び／又は前記少なくとも１つの結合手段（２０，２１，１２０）と前記支持体（１０，１１０）との間に、流体状の接着剤（５１，１５１）を含んだ層が施されていること
を特徴とする、請求項１〜１０のいずれか一項に記載の車両投光器。
【請求項１２】
前記接着剤（５１，１５１）は、所定数のマイクロカプセル（５０）内に包埋され、前記所定数のマイクロカプセル（５０）が埋蔵されている流体状の担体材料により担持されていること
を特徴とする、請求項１１に記載の車両投光器。
【請求項１３】
前記少なくとも１つの結合手段（２０，２１，１２０）による前記保持部材（４０，１４０）と前記支持体（１０，１１０）の力結合式の結合により、前記所定数のマイクロカプセル（５０）が、少なくとも部分的に破裂し、包埋されている前記接着剤（５１，１５１）を解放すること
を特徴とする、請求項１２に記載の車両投光器。
【請求項１４】
前記少なくとも１つの間隔要素（３０，３１，１３０）は、それぞれ間隔要素開口部を有し、トーラス形状を有し、前記少なくとも１つの結合手段（２０，２１，１２０）は、前記間隔要素開口部を通って案内されていること
を特徴とする、請求項１〜１３のいずれか一項に記載の車両投光器。
【請求項１５】
前記少なくとも１つの結合手段は、ねじであり、前記支持体（１０，１１０）の前記穴部（１２，１３）は、前記少なくとも１つの結合手段（２０，２１，１２０）と係合するように構成されたねじ山部を有すること
を特徴とする、請求項１〜１４のいずれか一項に記載の車両投光器。
【請求項１６】
前記支持体（１０，１１０）は、少なくとも１つの圧潰リブ（７０，１７０）を含み、前記圧潰リブ（７０，１７０）は、調整された状態で前記保持部材（４０，１４０）と係合するように構成されていること
を特徴とする、請求項１〜１５のいずれか一項に記載の車両投光器。
【請求項１７】
車両投光器（１，１０１）の光源（２，１０２）と前置光学系（３，１０３）を互いに取り付けて調整するための方法であって、
前記光源（２，１０２）は、前記前置光学系（３，１０３）を通して光を放射するように構成され、前記前置光学系（３，１０３）は、その光を集束するか又は成形するように構成されており、
前記車両投光器（１，１０１）は、更に支持体（１０，１１０）と保持部材（４０，１４０）を含み、そして以下の方法ステップが実行される：
−  前記支持体（１０，１１０）の載置面（１１）の領域に前記光源（２，１０２）を配置して位置固定するステップであり、前記支持体（１０，１１０）には、縦方向に延在し且つ縦延在の方向に軸線（２２，２３）を有する少なくとも１つの結合手段（２０，２１，１２０）を受容するための穴部（１２，１３）が設けられており、
−  前記支持体（１０，１１０）上に少なくとも１つの間隔要素（３０，３１，１３０）を配置し、前記間隔要素（３０，３１，１３０）上に保持部材（４０，１４０）を配置するステップであり、但し前記保持部材（４０，１４０）は、前記前置光学系（３，１０３）と固定結合されており、前記少なくとも１つの結合手段（２０，２１，１２０）を受容するために設けられた少なくとも１つの開口部（４１，４２）を有し、
−  前記少なくとも１つの結合手段（２０，２１，１２０）をそれぞれの前記開口部（４１，４２）とそれぞれの前記穴部（１２，１３）に挿入するステップ、
−  前記軸線（２２，２３）に対して直角方向に規定されたＸＹ面内で前記光源（２，１０２）に対して前記前置光学系（３，１０３）を位置合わせすることにより、初期調整状態を作るステップ、
−  前記少なくとも１つの結合手段（２０，２１，１２０）を用いて第１の力（８０）を加えることで前記支持体（１０，１１０）と前記保持部材（４０，１４０）を結合することにより、ＸＹ面内で前記初期調整状態を固定するステップであり、該ステップでは、第１の調整高さ（６１）を有する第１の調整状態が達成され、
−  前記支持体（１０，１１０）と前記保持部材（４０，１４０）の間に前記結合手段（２０，２１，１２０）を用いて第３の力（８２）を加えることにより、ＸＹ面内で且つ前記軸線（２２，２３）の方向において第３の調整状態を作るステップであり、該ステップでは、第３の調整高さ（６３）が達成されること
を特徴とする方法。
【請求項１８】
前記少なくとも１つの結合手段（２０，２１，１２０）を挿入するステップの前に、前記少なくとも１つの間隔要素（３０，３１，１３０）及び／又は前記結合手段（２０，２１，１２０）の外側表面上に、活性化可能な接着剤（５１，１５１）が施されており、
前記第３の調整状態を作るステップの前に、以下のステップが実行される：
−  第２の調整状態を作るステップであり、該ステップでは、前記接着剤（５１，１５１）が、前記支持体（１０，１１０）と前記保持部材（４０，１４０）の間に前記結合手段（２０，２１，１２０）を用いて第２の力（８１）を加えることにより活性化され、第２の調整高さ（６２）が達成され、そして、
前記第３の調整状態を作るステップの後に、以下のステップが実行される：
−  活性化された前記接着剤（５１，１５１）を硬化することにより、ＸＹ面内で且つ前記軸線（２２，２３）の方向において前記第３の調整高さ（６３）で前記第３の調整状態を固定するステップ、
を特徴とする、請求項１７に記載の方法。
【請求項１９】
前記少なくとも１つの間隔要素（３０，３１，１３０）を配置する前に、前記少なくとも１つの間隔要素（３０，３１，１３０）と前記支持体（１０，１１０）との間、及び／又は前記少なくとも１つの間隔要素（３０，３１，１３０）と前記保持部材（４０，１４０）との間、及び／又は前記少なくとも１つの結合手段（２０，２１，１２０）と前記支持体（１０，１１０）との間に、流体状の活性化可能な接着剤（５１，１５１）を含んだ層が施されること
を特徴とする、請求項１７又は１８に記載の方法。
【請求項２０】
接着剤（５１，１５１）が、所定数のマイクロカプセル（５０）内に包埋されており、前記所定数のマイクロカプセル（５０）が埋蔵されている流体状の担体材料により担持され、前記所定数のマイクロカプセル（５０）は、これらのマイクロカプセル（５０）に機械的な力が作用することで少なくとも部分的に破裂し、包埋されている前記接着剤（５１，１５１）を解放すること
を特徴とする、請求項１７〜１９のいずれか一項に記載の方法。
【請求項２１】
前記少なくとも１つの間隔要素（３０，３１，１３０）の弾性係数は、前記保持部材（４０，１４０）及び／又は前記支持体（１０，１１０）の弾性係数よりも小さいこと
を特徴とする、請求項１７〜２０のいずれか一項に記載の方法。
【請求項２２】
前記少なくとも１つの間隔要素（３０，３１，１３０）の弾性係数は、８０ｋＮ／ｍｍ２よりも小さく、又は３０ｋＮ／ｍｍ２よりも小さく、又は４ｋＮ／ｍｍ２よりも小さく、且つ１ｋＮ／ｍｍ２よりも大きいこと
を特徴とする、請求項２１に記載の方法。
【請求項２３】
前記少なくとも１つの間隔要素（３０，３１，１３０）の降伏点は、１００ｋＮ／ｍｍ２よりも小さく、又は８０ｋＮ／ｍｍ２よりも小さく、且つ１０ｋＮ／ｍｍ２よりも大きく、或いは７０ｋＮ／ｍｍ２よりも小さく、且つ２０ｋＮ／ｍｍ２よりも大きいこと
を特徴とする、請求項２１又は２２に記載の方法。
【手続補正２】
【補正対象書類名】明細書
【補正対象項目名】０００４
【補正方法】変更
【補正の内容】
【０００４】
【特許文献１】ＵＳ  ２０１４／０１６８９９６  Ａ１
【特許文献２】ＵＳ  ２００９／０３０３７２６  Ａ１
【特許文献３】ＤＥ  １０  ２０１５  １０３  ６４９  Ａ１
【特許文献４】ＷＯ  ２０１４／１３８７６３  Ａ１
【手続補正３】
【補正対象書類名】明細書
【補正対象項目名】０００７
【補正方法】変更
【補正の内容】
【０００７】
前記課題は、冒頭で記載した形式の車両投光器において、少なくとも１つの結合手段が開口部に挿入されているが位置固定されていない保持部材の第１のポジションにおいて、保持部材は、少なくとも１つの結合手段に関し、開口部の内側で軸線に対して直角方向の面内で運動可能であり、それにより前記面内で、支持体上に固定された光源に関し、保持部材に固定された前置光学系の位置合わせ（即ち配向）が可能であり、更に少なくとも１つの間隔要素は、少なくとも１つの結合手段を用い、保持部材と支持体により一緒に押圧可能であり、この際、少なくとも１つの間隔要素の高さは、光源と前置光学系を互いに軸線の方向で位置合わせするために減少され、保持部材の固定の第２のポジションが達成されることにより解決される。
即ち本発明の第１の視点により、
光源と前置光学系を含んだ車両投光器であって、
前記光源は、前記前置光学系を通して光を放射するように構成され、前記前置光学系は、その光を集束するか又は成形するように構成されており、
前記光源は、前記車両投光器内に設けられた支持体上に固定されており、前記支持体には、少なくとも１つの結合手段を受容するための穴部がそれぞれ設けられており、
前記支持体上には、少なくとも１つの間隔要素が載置面上にそれぞれ配置されており、前記少なくとも１つの間隔要素は、前記載置面に対して直角方向に高さを有し、
保持部材が、前記少なくとも１つの間隔要素上に配置されており、前記保持部材は、前記前置光学系と固定結合されており、前記少なくとも１つの結合手段を受容するために設けられた開口部をそれぞれ有し、
前記少なくとも１つの結合手段は、それぞれ軸線に沿って延在し、前記支持体と前記保持部材を結合するために設けられ、そのためにそれぞれの前記開口部とそれぞれの前記穴部に挿入されている構成であり、
前記少なくとも１つの結合手段が前記開口部に挿入されているが位置固定されていない前記保持部材の第１のポジションおいて、前記保持部材は、前記少なくとも１つの結合手段に関し、前記開口部の内側で前記軸線に対して直角方向の面内で運動可能であり、それにより前記面内で、前記支持体上に固定された前記光源に関し、前記保持部材に固定された前記前置光学系の位置合わせが可能であり、
前記少なくとも１つの間隔要素は、前記少なくとも１つの結合手段を用い、前記保持部材と前記支持体により一緒に押圧可能であり、それにより前記少なくとも１つの間隔要素の前記高さが減少され、前記保持部材の固定の第２のポジションが達成されること
を特徴とする車両投光器が提供される。
更に本発明の第２の視点により、
車両投光器の光源と前置光学系を互いに取り付けて調整するための方法であって、
前記光源は、前記前置光学系を通して光を放射するように構成され、前記前置光学系は、その光を集束するか又は成形するように構成されており、
前記車両投光器は、更に支持体と保持部材を含み、そして以下の方法ステップが実行される：
−  前記支持体の載置面の領域に前記光源を配置して位置固定するステップであり、前記支持体には、縦方向に延在し且つ縦延在の方向に軸線を有する少なくとも１つの結合手段を受容するための穴部が設けられており、
−  前記支持体上に少なくとも１つの間隔要素を配置し、前記間隔要素上に保持部材を配置するステップであり、但し前記保持部材は、前記前置光学系と固定結合されており、前記少なくとも１つの結合手段を受容するために設けられた少なくとも１つの開口部を有し、
−  前記少なくとも１つの結合手段をそれぞれの前記開口部とそれぞれの前記穴部に挿入するステップ、
−  前記軸線に対して直角方向に規定されたＸＹ面内で前記光源に対して前記前置光学系を位置合わせすることにより、初期調整状態を作るステップ、
−  前記少なくとも１つの結合手段を用いて第１の力を加えることで前記支持体と前記保持部材を結合することにより、ＸＹ面内で前記初期調整状態を固定するステップあり、該ステップでは、第１の調整高さを有する第１の調整状態が達成され、
−  前記支持体と前記保持部材の間に前記結合手段を用いて第３の力を加えることにより、ＸＹ面内で且つ前記軸線の方向において第３の調整状態を作るステップであり、該ステップでは、第３の調整高さが達成されること
を特徴とする方法が提供される。
尚、本願の特許請求の範囲に付記された図面参照符号は、専ら本発明の理解の容易化のためのものであり、図示の形態への限定を意図するものではないことを付言する。
【手続補正４】
【補正対象書類名】明細書
【補正対象項目名】０００８
【補正方法】変更
【補正の内容】
【０００８】
本発明において、以下の形態が可能である。
（形態１）
光源と前置光学系を含んだ車両投光器であって、
前記光源は、前記前置光学系を通して光を放射するように構成され、前記前置光学系は、その光を集束するか又は成形するように構成されており、
前記光源は、前記車両投光器内に設けられた支持体上に固定されており、前記支持体には、少なくとも１つの結合手段を受容するための穴部がそれぞれ設けられており、
前記支持体上には、少なくとも１つの間隔要素が載置面上にそれぞれ配置されており、前記少なくとも１つの間隔要素は、前記載置面に対して直角方向に高さを有し、
保持部材が、前記少なくとも１つの間隔要素上に配置されており、前記保持部材は、前記前置光学系と固定結合されており、前記少なくとも１つの結合手段を受容するために設けられた開口部をそれぞれ有し、
前記少なくとも１つの結合手段は、それぞれ軸線に沿って延在し、前記支持体と前記保持部材を結合するために設けられ、そのためにそれぞれの前記開口部とそれぞれの前記穴部に挿入されている構成であり、
前記少なくとも１つの結合手段が前記開口部に挿入されているが位置固定されていない前記保持部材の第１のポジションおいて、前記保持部材は、前記少なくとも１つの結合手段に関し、前記開口部の内側で前記軸線に対して直角方向の面内で運動可能であり、それにより前記面内で、前記支持体上に固定された前記光源に関し、前記保持部材に固定された前記前置光学系の位置合わせが可能であり、
前記少なくとも１つの間隔要素は、前記少なくとも１つの結合手段を用い、前記保持部材と前記支持体により一緒に押圧可能であり、それにより前記少なくとも１つの間隔要素の前記高さが減少され、前記保持部材の固定の第２のポジションが達成されること。
（形態２）
前記少なくとも１つの間隔要素の弾性係数は、前記保持部材及び／又は前記支持体の弾性係数よりも小さく、
好ましくは、前記少なくとも１つの間隔要素の弾性係数は、８０ｋＮ／ｍｍ２よりも小さく、好ましくは３０ｋＮ／ｍｍ２よりも小さく、且つ１ｋＮ／ｍｍ２よりも大きく、特に好ましくは４ｋＮ／ｍｍ２よりも小さく、
好ましくは、前記少なくとも１つの間隔要素の降伏点は、１００ｋＮ／ｍｍ２よりも小さく、好ましくは８０ｋＮ／ｍｍ２よりも小さく、且つ１０ｋＮ／ｍｍ２よりも大きく、特に好ましくは７０ｋＮ／ｍｍ２よりも小さく、且つ２０ｋＮ／ｍｍ２よりも大きいこと、が好ましい。
（形態３）
前記車両投光器は、少なくとも２つの間隔要素と少なくとも２つの結合手段を含み、該少なくとも２つの間隔要素は、前記支持体に関して前記保持部材の調整が達成できるように配置されており、この調整において、該少なくとも２つの間隔要素は、調整されたポジションにおいてそれぞれ異なる高さを有することができること、が好ましい。
（形態４）
前記光源と前記支持体の間に回路基板が配置されており、前記回路基板上に前記光源が固定されていること、が好ましい。
（形態５）
前記支持体に冷却体が配設されているか、又は前記支持体自体が冷却リブ又は冷却ピンを有し、前記支持体上に少なくとも１つの前記光源が固定されており、
好ましくは、前記光源と前記冷却体の間に回路基板が配置されており、前記回路基板上に前記光源が固定されていること、が好ましい。
（形態６）
前記支持体は、通過開口部を有し、前記光源は、前記通過開口部を通って突出していること、が好ましい。
（形態７）
前記支持体は、それぞれ深さをもつ少なくとも１つの窪み部を更に有し、前記少なくとも１つの窪み部は、前記少なくとも１つの間隔要素を受容するために設けられ、実質的に前記少なくとも１つの間隔要素の外側輪郭に対して相補的に形成されており、前記少なくとも１つの間隔要素の高さは、前記少なくとも１つの窪み部の前記深さよりも大きいこと、が好ましい。
（形態８）
前記少なくとも１つの間隔要素と前記支持体との間、及び／又は前記少なくとも１つの間隔要素と前記保持部材との間、及び／又は前記少なくとも１つの結合手段と前記支持体との間に、好ましくは流体状の接着剤を含んだ層が施されており、
好ましくは、前記接着剤は、所定数のマイクロカプセル内に埋め込まれ、好ましくは、前記所定数のマイクロカプセルが埋め込まれている流体状の担体材料により担持されており、
好ましくは、前記少なくとも１つの結合手段による前記保持部材と前記支持体の力結合式の結合により、前記所定数のマイクロカプセルが、少なくとも部分的に破裂し、埋め込まれている前記接着剤を解放すること、が好ましい。
（形態９）
前記少なくとも１つの間隔要素は、それぞれ間隔要素開口部を有し、好ましくはトーラス形状を有し、前記少なくとも１つの結合手段は、前記間隔要素開口部を通って案内されていること、が好ましい。
（形態１０）
前記少なくとも１つの結合手段は、ねじであり、好ましくは、前記支持体の前記穴部は、前記少なくとも１つの結合手段と係合するように構成されたねじ山部を有すること、が好ましい。
（形態１１）
前記支持体は、少なくとも１つの圧潰リブを含み、前記圧潰リブは、調整された状態で前記保持部材と係合するように構成されていること、が好ましい。
（形態１２）
車両投光器の光源と前置光学系を互いに取り付けて調整するための方法であって、
前記光源は、前記前置光学系を通して光を放射するように構成され、前記前置光学系は、その光を集束するか又は成形するように構成されており、
前記車両投光器は、更に支持体と保持部材を含み、そして以下の方法ステップが実行される：
−  前記支持体の載置面の領域に前記光源を配置して位置固定するステップであり、前記支持体には、縦方向に延在し且つ縦延在の方向に軸線を有する少なくとも１つの結合手段を受容するための穴部が設けられており、
−  前記支持体上に少なくとも１つの間隔要素を配置し、前記間隔要素上に保持部材を配置するステップであり、但し前記保持部材は、前記前置光学系と固定結合されており、前記少なくとも１つの結合手段を受容するために設けられた少なくとも１つの開口部を有し、
−  前記少なくとも１つの結合手段をそれぞれの前記開口部とそれぞれの前記穴部に挿入するステップ、
−  前記軸線に対して直角方向に規定されたＸＹ面内で前記光源に対して前記前置光学系を位置合わせすることにより、初期調整状態を作るステップ、
−  前記少なくとも１つの結合手段を用いて第１の力を加えることで前記支持体と前記保持部材を結合することにより、ＸＹ面内で前記初期調整状態を固定するステップであり、該ステップでは、第１の調整高さを有する第１の調整状態が達成され、
−  前記支持体と前記保持部材の間に前記結合手段を用いて第３の力を加えることにより、ＸＹ面内で且つ前記軸線の方向において第３の調整状態を作るステップであり、該ステップでは、第３の調整高さが達成されること。
（形態１３）
前記少なくとも１つの結合手段を挿入するステップの前に、前記少なくとも１つの間隔要素及び／又は前記結合手段の外側表面上に、活性化可能な接着剤が施されており、
前記第３の調整状態を作るステップの前に、以下のステップが実行される：
−  第２の調整状態を作るステップであり、該ステップでは、前記接着剤が、前記支持体と前記保持部材の間に前記結合手段を用いて第２の力を加えることにより活性化され、第２の調整高さが達成され、そして、
前記第３の調整状態を作るステップの後に、以下のステップが実行される：
−  活性化された前記接着剤を硬化することにより、ＸＹ面内で且つ前記軸線の方向において前記第３の調整高さで前記第３の調整状態を固定するステップ、が好ましい。
（形態１４）
前記少なくとも１つの間隔要素を配置する前に、前記少なくとも１つの間隔要素と前記支持体との間、及び／又は前記少なくとも１つの間隔要素と前記保持部材との間、及び／又は前記少なくとも１つの結合手段と前記支持体との間に、好ましくは流体状の活性化可能な接着剤を含んだ層が施されること、が好ましい。
（形態１５）
接着剤が、所定数のマイクロカプセル内に埋め込まれており、好ましくは、前記所定数のマイクロカプセルが埋め込まれている流体状の担体材料により担持され、前記所定数のマイクロカプセルは、これらのマイクロカプセルに機械的な力が作用することで少なくとも部分的に破裂し、埋め込まれている前記接着剤を解放すること、が好ましい。
（形態１６）
前記少なくとも１つの間隔要素の弾性係数は、前記保持部材及び／又は前記支持体の弾性係数よりも小さく、
好ましくは、前記少なくとも１つの間隔要素の弾性係数は、８０ｋＮ／ｍｍ２よりも小さく、好ましくは３０ｋＮ／ｍｍ２よりも小さく、特に好ましくは４ｋＮ／ｍｍ２よりも小さく、且つ１ｋＮ／ｍｍ２よりも大きく、
好ましくは、前記少なくとも１つの間隔要素の降伏点は、１００ｋＮ／ｍｍ２よりも小さく、好ましくは８０ｋＮ／ｍｍ２よりも小さく、且つ１０ｋＮ／ｍｍ２よりも大きく、特に好ましくは７０ｋＮ／ｍｍ２よりも小さく、且つ２０ｋＮ／ｍｍ２よりも大きいこと、が好ましい。
【国際調査報告】
2021506088.tif 000010
2021506088.tif 000011
2021506088.tif 000012
2021506088.tif 000013